(57)【要約】【課題】各施設のアプリで利用するデータを統合して利用価値の高いデータを生成、出力する異アプリデータ統合ソフト、データ処理装置、及び通信記憶媒体を提供し、利用者の利便性を向上する。【解決手段】異アプリデータ統合ソフトとして、通信記憶媒体に複数格納され各アプリケーションで利用される各々のアプリデータから統合データを生成する統合データ生成処理と、該統合データを所定の形式で出力する出力処理とを設定した。【選択図】　　図４
2004133649.tif 000002
【特許請求の範囲】
【請求項１】
通信記憶媒体に複数格納され各アプリケーションで利用される各々のアプリデータから統合データを生成する統合データ生成処理と、
該統合データを所定の形式で出力する出力処理とを設定した
異アプリデータ統合ソフト。
【請求項２】
利用者に対して前記統合データの編集を許容する編集処理と、
共用領域として利用する共用データ又は／及び前記アプリデータに前記編集の結果を保存する保存処理とを設定した
請求項１記載の異アプリデータ統合ソフト。
【請求項３】
前記統合データ生成処理として、前記アプリデータ内に格納の日付データを抽出して統合する日付データ統合処理を設定し、
前記所定の形式として、カレンダ形式を設定した
請求項１又は２記載の異アプリデータ統合ソフト。
【請求項４】
請求項１、２又は３記載の異アプリデータ統合ソフトを実行する制御手段と、利用者の入力を許容する入力手段と、
前記通信記憶媒体と通信する通信手段と、
所定の表示を行う表示手段とを備えた
データ処理装置。
【請求項５】
請求項２記載の異アプリデータ統合ソフトで利用する前記統合データ及び前記共用データを格納の記憶手段と、
通信を許容する通信手段とを備えた
通信記憶媒体。
【請求項６】
前記統合データ及び前記共用データと共に、又は前記共用データに替えて、請求項１、２又は３記載の異アプリデータ統合ソフトを前記記憶手段に格納した
請求項５記載の通信記憶媒体。
【発明の詳細な説明】
【０００１】
【発明の属する技術分野】
この発明は、公共施設の住民管理アプリ（アプリケーションプログラム）、百貨店の会員カードアプリ、商品販売施設（販売店）のポイント付与アプリ、医療施設のカルテ作成支援アプリ、飲食施設（飲食店）の会員サービスアプリ、アミューズメント施設の会員サービスアプリ、クレジットカードシステムを運用するクレジットアプリ、デビットカードシステムを運用するデビットアプリ等のアプリで利用可能な通信記憶媒体に対し、該通信記憶媒体に格納のデータを利用する異アプリデータ統合ソフト（ソフトウェア）、該異アプリデータ統合ソフトで処理を実行するデータ処理装置、及び前記データを格納の通信記憶媒体に関する。
【０００２】
【従来の技術】
従来、例えばデパート（百貨店）で利用し、ポイントを蓄積して割引サービスを受けるようなＩＣ（Ｉｎｔｅｇｒａｔｅｄ　Ｃｉｒｃｕｉｔ）カードが一般に提供されている。しかし一般的なＩＣカードは他のデパートや銀行等、他の施設で利用されている異アプリでは利用できない。
【０００３】
この不便を解消する方法として、１つのＩＣカード内でメモリ領域を複数に区分し、割り当てられた区分内を異アプリで利用可能なように設定し、利用者が保持するＩＣカードを減らすことも提案されている。この区分したメモリ領域を、異アプリの利用するデータ量に応じて変更可能なメモリ領域の管理方法も提案されている（例えば特許文献１参照）。
【０００４】
【特許文献１】
特開平６−２２２９８１号公報。
【０００５】
【発明が解決しようとする課題】
しかし、１つのＩＣカードを複数の施設のアプリで利用することが可能になったものの、各施設のアプリで利用するデータを別々に記録されているに過ぎず、ＩＣカードを１つにまとめたことによる特別な効果は存在していなかった。また、あるアプリが利用するデータを他のアプリで流用するようなこともできなかった。
【０００６】
この発明は、上述の問題に鑑みて、各施設で別々に稼動する異なるアプリで利用するデータを統合して利用価値の高いデータを生成、出力する異アプリデータ統合ソフト、データ処理装置、及び通信記憶媒体を提供し、利用者の利便性を向上することを目的とする。
【０００７】
【課題を解決するための手段】
この発明は、通信記憶媒体に複数格納され各アプリケーションで利用される各々のアプリデータから統合データを生成する統合データ生成処理と、該統合データを所定の形式で出力する出力処理とを設定した異アプリデータ統合ソフト（異アプリデータ統合プログラム）であることを特徴とする。
【０００８】
前記通信記憶媒体は、アンテナを備えた非接触ＩＣカード、接点を備えた接触ＩＣカード、又は、アンテナと接点を備えて非接触でも接触でも利用できるハイブリッドＩＣカードといったＩＣカード等、不揮発性メモリを有する記憶媒体で構成することを含む。また、これらの通信記憶媒体は、変復調器と記憶装置を備えたタイプ、変復調器と記憶装置と制御装置とを備えたタイプ、又は、変復調器と記憶装置とロジック回路を備えたタイプのＩＣチップで構成することを含む。
【０００９】
前記アプリは、公共施設の住民管理アプリ、百貨店の会員カードアプリ、商品販売施設（販売店）のポイント付与アプリ、医療施設のカルテ作成支援アプリ、飲食施設（飲食店）の会員サービスアプリ、アミューズメント施設の会員サービスアプリ等の各種アプリで構成することを含む。
【００１０】
前記アプリデータは、施設で利用されるアプリが会員認証等に利用する氏名等の会員データ、施設のイベントを案内する案内データ、割引特典を案内するサービスデータ、新商品を案内する広告データ、利用予約を記憶する予約データ等、施設で利用されるアプリが利用又は提供するデータで構成することを含む。
【００１１】
前記統合データは、イベント日や予約日等の日付データ、割引特典や割引率等のサービスデータ等、各アプリのデータをまとめて閲覧すると利用価値が高まるデータで構成することを含む。すなわち、例えば日付データであれば予定が管理でき、サービスデータであれば割引率等の比較を行うことができる。
【００１２】
前記所定の形式は、カレンダ形式、一覧表示形式、日付順一覧表示形式、所定条件抽出表示形式、ツリー表示形式、又はページ送り形式等の閲覧形式で構成することを含む。
【００１３】
前記出力は、モニタ等の表示手段への出力、通信によるデータ出力、記憶媒体へのデータ出力、又はこれらの複数で構成することを含む。
【００１４】
前記構成により、複数の施設のアプリデータを統合して有効活用することができ、通信記憶媒体で提供可能なサービスが増加して利用者の満足度を向上させることができる。
【００１５】
好ましい実施の形態として、利用者に対して前記統合データの編集を許容する編集処理と、共用領域として利用する共用データ又は／及び前記アプリデータに前記編集の結果を保存する保存処理とを設定することができる。
【００１６】
前記編集は、セール日等の日付データに重要マークをつける、備考として詳細な内容を追記する、どの施設にも関係のない利用者の予定を追加する等、アプリデータに関連する編集と関連しない編集で構成することを含む。
【００１７】
前記共用データは、アプリデータに関連する編集データを施設のアプリに関わらずにまとめて保存可能なデータで構成することを含む。
【００１８】
前記構成により、前記統合データを利用する自由度が広がり、利用者の満足度をより向上させることができる。
【００１９】
また好ましい実施の形態として、前記統合データ生成処理として、前記アプリデータ内に格納の日付データを抽出して統合する日付データ統合処理を設定し、前記所定の形式として、カレンダ形式を設定することができる。
【００２０】
これにより、各アプリの日付データを統合して一つのカレンダに表示することができ、セール等のイベント日や予約を入れた予約日等、施設のアプリ毎の予定をまとめて確認することが可能となる。
【００２１】
またこの発明は、前記異アプリデータ統合ソフトを実行する制御手段と、利用者の入力を許容する入力手段と、前記通信記憶媒体と通信する通信手段と、所定の表示を行う表示手段とを備えたデータ処理装置とすることができる。
【００２２】
前記制御手段は、ＣＰＵやＭＰＵ等の制御装置で構成することを含む。
前記入力手段は、利用者の押下を許容する方向ボタン、キーボード、テンキー等の押下ボタン、又は、指又はペンによるタッチ入力を許容するタッチパネル、マウス、タブレット等の座標入力装置で構成することを含む。
【００２３】
前記通信手段は、アンテナによって無線通信する無線通信装置、又は、接点によって接触通信する接触通信装置で構成することを含む。
前記表示手段は、液晶モニタ等の表示装置で構成することを含む。
【００２４】
前記データ処理装置は、通信記憶媒体に格納のデータを読み込に可能な通信記憶媒体読込装置等の統合データ閲覧装置、ＰＤＡ（Ｐｅｒｓｏｎａｌ　Ｄｉｇｉｔａｌ　Ａｓｓｉｓｔａｎｃｅ）や携帯電話等の携帯情報端末、又はパーソナルコンピュータ等の情報機器で構成することを含む。また、このデータ処理装置（特に携帯電話やＰＤＡ）は、ＩＣチップ等の前記通信記憶手段を備えて一体化することを含む。
【００２５】
前記構成により、利用者はデータ処理装置を操作して、実際に統合データの生成、編集を行うことが可能となる。
【００２６】
またこの発明は、前記異アプリデータ統合ソフトで利用する前記統合データ及び前記共用データを格納の記憶手段と、通信を許容する通信手段とを備えた通信記憶媒体とすることができる。
【００２７】
前記記憶手段は、ＥＥＰＲＯＭ又はＦＲＡＭ等の不揮発性メモリで構成することを含む。
前記通信手段は、アンテナによって無線通信する無線通信装置、又は、接点によって接触通信する接触通信装置で構成することを含む。
【００２８】
前記構成により、通信記憶媒体に共用データを格納することができ、編集処理を行ったデータ処理装置と異なるデータ処理装置であっても、編集内容を反映した統合データを出力（例えば表示）することができ、利用者が閲覧、編集することができる。
【００２９】
好ましい実施の形態として、前記統合データ及び前記共用データと共に、又は前記共用データに替えて、前記異アプリデータ統合ソフトを前記記憶手段に格納することができる。
【００３０】
これにより、利用者はデータ処理装置の機能に依存せずに異アプリデータ統合ソフトを利用することができ、例えば通信記憶媒体に格納の異アプリデータ統合ソフトをバージョンアップすれば、他人のデータ処理装置を利用しても新バージョンの異アプリデータ統合ソフトの機能を利用することができる。
【００３１】
【発明の効果】
この発明により、別個独立して存在していたアプリデータを統合し、利便性の高いサービスを提供することが可能となる。この際、アプリデータそのものは変更・加工する必要がないため、施設のアプリに対する仕様変更等の負担が不要であり、低コストで導入することができる。
【００３２】
これにより、参画する施設の増加を図ることができるため、利用者が１つの通信記憶媒体で利用できるアプリの存在する施設が増加する。こうして施設が増加しても、予定をまとめてカレンダ表示するといったことができ、利便性が向上して利用者の満足度を向上させることができる。
【００３３】
【発明の実施の形態】
この発明の一実施形態を以下図面と共に説明する。
まず、図１に示すデータ統合閲覧システム１の斜視図と共に、データビューア１０及びＩＣカード３０の外観について説明する。
【００３４】
データ統合閲覧システム１は、データビューア１０及びＩＣカード３０で構成し、ＩＣカード３０に記憶のデータをデータビューア１０で閲覧可能にしている。
前記データビューア１０は、筐体１１を厚みのある長方形に形成し、右側面にカード収納口１４を備えてＩＣカード３０を筐体１１内に収納可能にしている。
【００３５】
データビューア１０の平面左側には画像表示を行う液晶モニタ１２を備え、平面右側にはボタン入力装置１３を備える。該ボタン入力装置１３は、上下左右にカーソル移動等を行う方向入力ボタン１３ａ、操作をキャンセルするキャンセルボタン１３ｂ、及び操作を決定するＯＫボタン１３ｃで構成する。
【００３６】
前記ＩＣカード３０は、ＩＣチップ３１を内蔵した非接触型のＩＣカードで構成する。
【００３７】
以上の構成により、利用者によってＩＣカード３０がデータビューア１０内にカード収納口１４から収納され、ボタン入力装置１３が操作されて液晶モニタ１２にデータ表示等を行うことができる。
【００３８】
次に、図２に示すデータビューア１０のブロック図と共に、データビューア１０の制御回路について説明する。
データビューア１０には、制御装置１７に電気的に接続して液晶モニタ１２、ボタン入力装置１３、通信装置１５、記憶装置１６を備える。
【００３９】
前記制御装置１７は、ＣＰＵ、ＲＯＭ、及びＲＡＭを備えており、各装置の制御処理を実行する。
【００４０】
前記液晶モニタ１２は、前記制御装置１７から受信するＲＧＢ信号に従って文字や絵等の画像をカラー表示する。この表示画像にはカレンダ画像を含む。
【００４１】
前記ボタン入力装置１３は、前述した方向入力ボタン１３ａ、キャンセルボタン１３ｂ、及びＯＫボタン１３ｃで構成しており、利用者の操作入力を入力信号として前記制御装置１７に送信する。
【００４２】
前記通信装置１５は、前記制御装置１７の通信信号に基づいてＩＣカード３０とのデータ通信を実行する。該データ通信では、ＩＣカード３０から必要なデータを読取り、必要に応じてデータを書き込む処理を実行する。
【００４３】
前記記憶装置１６は、前記制御装置１７で実行するメインプログラム等のプログラム、及び該プログラムに必要なデータを格納している。
【００４４】
以上の回路構成により、データビューア１０はＩＣカード３０に記憶のデータを読取って表示し、利用者の操作を許容して、該操作に基づく編集データをＩＣカード３０に書き込むことができる。
【００４５】
次に、図３に示すＩＣカード３０のブロック図と共に、ＩＣカード３０の制御回路について説明する。
ＩＣカード３０には、アンテナ（アンテナコイル）３３、Ａ／Ｄコンバータ（復調手段）３４、Ｄ／Ａコンバータ（変調手段）３５、制御部３６、ＥＥＰＲＯＭ３７を備えている。
【００４６】
前記アンテナ３３は、コイル状に配線したアンテナコイルで構成し、外部から磁力を受けて起電力を得、この起電力を電源として使用している（図示省略）。
前記Ａ／Ｄコンバータ３４は、アンテナ３３を介して受信した信号をデジタル信号に復調する。
【００４７】
前記Ｄ／Ａコンバータ３５は、デジタル信号をアナログ信号に変調してアンテナ３３から送信する。
前記制御部３６は、ＣＰＵ等の制御回路で構成し、各装置の制御処理を実行する。なお、制御部３６は単純なロジック回路で構成しても良く、また制御部３６を備えずにアンテナ３３から制御信号を受信して各装置を制御しても良い。
【００４８】
前記ＥＥＰＲＯＭ３７は、統合アプリ（アプリケーションプログラム）等のプログラム、及び、共有データ、区役所Ａのデータ、デパートＢのデータ、学校Ｃのデータ等のデータを記憶する。
【００４９】
前記区役所Ａのデータ、デパートＢのデータ、学校Ｃのデータ等の各種アプリ用データは、統合アプリを含む他のアプリからアクセスできないセキュリティ領域と、統合アプリがアクセス可能なアクセス可能領域（非セキュリティ領域）を備えている。このアクセス可能領域には、予定データ（日付データ等）を格納している。
【００５０】
なお、この回路構成においては、前記Ａ／Ｄコンバータ３４、Ｄ／Ａコンバータ３５、制御部３６、及びＥＥＰＲＯＭ３７をまとめて、前述のＩＣチップとして実装している。
【００５１】
以上の回路構成により、ＩＣカード３０はＥＥＰＲＯＭ３７に統合アプリ、共有データ、区役所Ａのデータ、デパートＢのデータ、及び学校Ｃ等のデータやアプリケーションを格納することができ、これらを送受信することができる。
【００５２】
次に、ＩＣカード３０の利用イメージを、図４に示す説明図と共に説明し、合わせて統合データであるカレンダデータの生成、表示、編集について図５に示す処理フロー図と共に説明する。
利用者は、区役所Ａの住民アプリＡ、デパートＢの会員アプリＢ、学校Ｃの生徒管理アプリＣ等でＩＣカード３０を利用する。例えばデパートＢで買い物をすると、デパートＢに設置のＰＯＳ端末（会員アプリＢに接続されているＰＯＳ端末）でＩＣカード３０が読取られ、買い物金額に応じたポイントがポイントデータとしてＥＥＰＲＯＭ３７（図３）のデパートＢ（会員アプリＢ）用の領域、すなわちデパートＢデータのアクセス可能領域に書き込まれる。これと共にバーゲン等のセール情報もデパートＢデータのアクセス可能領域に書き込まれる。
【００５３】
このように複数の施設のアプリで利用しているＩＣカード３０が、利用者によってデータビューア１０にカード収納口１４からセットされ、ボタン入力装置１３が操作されて予定の確認が行されると、制御装置１７は図５の処理フロー図に示すように統合アプリを起動する（ステップｎ１）。
【００５４】
制御装置１７は、各アプリの予定データ（日付データ等）をＥＥＰＲＯＭ３７の各施設用であるアプリ用データ（区役所Ａデータ、デパートＢデータ、及び学校Ｃデータ）のアクセス可能領域から抽出して読み出し（ステップｎ２）、これを抽出データとしてＥＥＰＲＯＭ３７の作業領域（図示省略）に一時格納して、図４に示したように液晶モニタ１２にカレンダ表示する（ステップｎ３）。
【００５５】
ここで、方向入力ボタン１３ａが操作されてカーソルを移動し、ある日付（例えば２日）にあわせてＯＫボタン１３ｃが押下されると編集モードに移行し（ステップｎ４）、図６の（Ａ）に示すようにその日の予定データの詳細を液晶モニタ１２に表示する。
【００５６】
内容を変更する場合には、カーソル１２ｃがボタン入力装置１３で上下に移動され、編集する項目でＯＫボタン１３ｃが押下されれば編集モードになる。該編集モードでは、日付や時間については年、月、日、時、分単位で、ボタン入力装置１３の上下操作で１ずつ加減を許容する。文字入力では、ソフトウェアキーボードを表示し、ボタン入力装置１３でカーソルが移動されてＯＫボタン１３ｃが押下されると、その文字を入力する。
【００５７】
このようにして編集（例えば備考にテキストを追加編集）されると（ステップｎ５）、制御装置１７は、編集されたデータ（この例では備考データ）をＥＥＰＲＯＭ３７の共有データ（図３）に格納する（ステップｎ６）。
【００５８】
キャンセルボタン１３ｂ（若しくは別途設けた電源ボタン）が押下されると（ステップｎ７）、統合アプリを終了し（ステップｎ８）、継続する場合は、ステップｎ３にリターンする。
【００５９】
以上のようにして、利用者は各施設のアプリの情報を統合して確認、編集することができ、ＩＣカード３０をスケジュール帳等の手帳として利用することができる。これにより、入学式やバーゲン日程等の予定データが自動入力されて入力の煩わしさから開放されると共に、入力ミス等による予定の間違いを防止することができる。
【００６０】
この結果、ＩＣカード３０は複数の商店（デパート等）でのポイントカード、学校や区役所で個人を認証する認証カード（会員カード）、及び、利用者のスケジュール等を管理する手帳として活用することができる。これにより、利用者の普段の持ち物を削減し、生活の快適性を向上させることができる。
【００６１】
なお、上述の実施形態では、異アプリデータ統合ソフトをＩＣカード３０に格納したが、データビューア１０に格納しても良い。
【００６２】
また、前記予定データは、区役所Ａ、デパートＢ、学校Ｃ等の各アプリ用データのアクセス可能領域から共有データにコピーし、これを確認・編集するように構成しても良い。この場合は、確認時には共有データから読み出すだけで済むため、システム構築の容易化を図ることができる。
【００６３】
また、以上の実施形態では予定をカレンダー表示する例で説明したが、図７の日記帳表示（日記帳出力）の画面イメージ説明図に示すように、施設を利用した履歴を日記帳として表示できるように構成しても良い。
【００６４】
例えば２００２年３月１日に病院Ｄで診察を受けたとすると、病院ＤのＰＯＳ端末によってＥＥＰＲＯＭ３７（図３）の病院Ｄデータ（図示省略）にカルテデータが記録される。該カルテデータには、来院日時、病気の症状、病名、処方、及び診察料金等の詳細データが含まれている。
【００６５】
この詳細データを統合アプリで読込み、図に示すように主要項目である病名と診察料金を２００２年３月１日の欄に表示する。同様にして、他の施設のアプリの利用履歴についても、各アプリ用データのアクセス可能領域から詳細データ（利用データ）を読込み、アプリ利用に関係する主要項目を表示する。
【００６６】
なお、備考については変更可能であり、利用者に対してボタン入力装置１３の操作による文字入力を許容する。この文字入力の内容は、ＥＥＰＲＯＭ３７の共有データに記録する。
【００６７】
このように、各アプリ用データのアクセス可能領域内に格納の利用データ（詳細データ）を抽出して統合する利用データ統合処理を統合アプリに設定することで、日記帳を自動作成し、利用者が日記帳を自分で作成する手間を削減することができる。自動作成される項目以上に内容を追加することも可能であるため、少ない労力で充実した日記をつけることができる。
【００６８】
また、天気の項目を追加してもよく、この場合天気を管理している施設のアプリから日々の天気データをまとめてＥＥＰＲＯＭ３７に取り込めば、手軽に確実な天気記録を取る事もでき、日記がより充実することとなる。
【００６９】
他にも、図８のポイント一覧表示（ポイント一覧出力）の画面イメージ説明図に示すように、施設のアプリで付与されたポイントを一覧表示できるように構成しても良い。
【００７０】
ポイントを発行するデパートＢやスポーツクラブＦ等の施設では、アプリに接続したＰＯＳ端末によってＥＥＰＲＯＭ３７のアプリ用データ（例えばデパートＢであればデパートＢデータ、図３参照）のアクセス可能領域内にポイントデータを記録する。
【００７１】
この施設のアプリ利用毎に記録されるポイントデータを、統合アプリでアプリ毎に読取り、アプリ毎に整理して図８に示すように一覧表示する。このとき、ポイントデータに対する備考データ（例えば、「２０００ポイントで２，０００円の商品券を発行します」等）があれば、これも読み込み表示する。
【００７２】
なお、備考データは利用者に自由に変更させることができ、文字入力によって変更された備考データは共有データに保存する。
【００７３】
このように、各アプリ用データのアクセス可能領域内に格納のポイントデータを抽出して統合するポイントデータ統合処理を統合アプリに設定することで、複数の施設での蓄積ポイントを一目で確認して比較することができる。
【００７４】
利用者は、ポイントがたまりそうな施設を優先的に利用するといったように活用することができる。なお、蓄積ポイントの一覧には目標ポイントの項目を追加し、目標ポイントとの差を一目で確認できるように構成しても良い。
【００７５】
また、図９の家計簿表示（家計簿出力）の画面イメージ図に示すように、家計簿を作成可能に構成しても良い。この場合、収入については利用者が自分で入力しても良く、ＩＣカード３０に対応したＰＯＳ端末が勤務会社にあれば、該ＰＯＳ端末で入力しても良い。
【００７６】
デパートＢでの買い物金額やスポーツクラブＦの利用金額等の支出については、ＥＥＰＲＯＭ３７の各アプリ用データのアクセス可能領域（例えばデパートＢデータ、図３参照）から利用金額データを統合アプリが読取り、施設毎（若しくは施設等で利用のシステムやアプリケーション毎）にまとめて表示する。
【００７７】
表示切替によって年間表示、月間表示、日間表示が可能であり、これらは施設別に整理しての表示と、食費や衣料費等の細目別に整理しての表示ができる。
【００７８】
メンテナンスで手入力が選択された場合には、登録されている施設以外での支出等の手入力を許容する。また、設定が選択された場合には、登録されていない施設の名称を登録し、項目として常に表示するように設定するといったことを許容する。
【００７９】
このように、各アプリ用データのアクセス可能領域内に格納の利用金額データを抽出して統合する利用金額データ統合処理を統合アプリに設定することで、家計簿の支出項目や収入項目を入力する手間が削減できる。これにより、毎日の支出を記録するのが面倒な人であっても、登録されていない施設での支出さえ入力すればよいため、信頼性の高い家計簿を手軽に作成することができる。
【００８０】
また、図１０の健康手帳表示（健康手帳出力）の画面イメージ図に示すように健康手帳を作成可能に構成しても良い。この場合、図７と共に説明したようにカルテデータがＥＥＰＲＯＭ３７の病院Ｄデータ（図示省略）に記録されているため、これを統合アプリで読み取って図１０に示すように整理して表示する。必要であれば、利用者に文字入力を許容して内容を追加することもできる。
【００８１】
このように、各アプリ用データのアクセス可能領域内に格納のカルテデータを抽出して統合するカルテデータ統合処理を統合アプリに設定することで、利用者は自分の健康状態の推移をいつでも容易に確認することができ、手軽に健康管理を行うことができる。
【００８２】
なお、アンテナ３３を介してＩＣカード３０と通信可能な通信装置をパーソナルコンピュータに接続し、該パーソナルコンピュータで統合アプリを実行しても良い。これにより、ＩＣカード３０の各種データを参照し、前述のスケジュール、日記、蓄積ポイント、家計簿、健康状態の確認及び更新をパーソナルコンピュータで行うことができる。
【００８３】
この発明の構成と、上述の実施形態との対応において、
この発明のデータ処理装置は、実施形態のデータビューア１０に対応し、
以下同様に、
入力手段は、ボタン入力装置１３に対応し、
通信手段は、通信装置１５に対応し、
制御手段は、制御装置１７に対応し、
通信記憶媒体は、ＩＣカード３０に対応し、
通信手段は、アンテナ３３に対応し、
記憶手段は、ＥＥＰＲＯＭ３７に対応し、
アプリは、住民アプリＡ、会員アプリＢ、生徒管理アプリＣ対応し、
アプリデータは、区役所Ａデータ、デパートＢデータ、学校Ｃデータに対応し、
統合データは、抽出データに対応し、
所定の形式は、カレンダ形式に対応し、
異アプリデータ統合ソフトは、統合アプリに対応し、
共用データは、共有データに対応し、
日付データは、予定データに対応するも、
この発明は、上述の実施形態の構成のみに限定されるものではなく、多くの実施の形態を得ることができる。
【図面の簡単な説明】
【図１】データビューア及びＩＣカードの外観を示す斜視図。
【図２】データビューアの制御回路を示すブロック図。
【図３】ＩＣカードの制御回路を示すブロック図。
【図４】ＩＣカードの利用イメージの説明図。
【図５】制御装置の動作を示す処理フロー図。
【図６】予定データの編集画面の説明図。
【図７】日記帳画面の画面イメージ図。
【図８】蓄積ポイント画面の画面イメージ図。
【図９】家計簿画面の画面イメージ図。
【図１０】健康手帳画面の画面イメージ図。
【符号の説明】
１０…データビューア
１２…液晶モニタ
１３…ボタン入力装置
１５…通信装置
１７…制御部
３０…ＩＣカード
３３…アンテナ
３７…ＥＥＰＲＯＭ
Ａ…区役所
Ｂ…デパート
Ｃ…学校
【図１】
2004133649.tif 000003
【図２】
2004133649.tif 000004
【図３】
2004133649.tif 000005
【図４】
2004133649.tif 000006
【図５】
2004133649.tif 000007
【図６】
2004133649.tif 000008
【図７】
2004133649.tif 000009
【図８】
2004133649.tif 000010
【図９】
2004133649.tif 000011
【図１０】
2004133649.tif 000012